Podtech/llm-jp-corpus-v4-ja_patent huggingface dataset:
(57)【要約】  【課題】 車輌の運転中における指圧効果及び、背中の蒸れを緩和させることを目的とする。  【解決手段】 プラスチックにより形成された車輌シートの背当て部に装着できる背当て部と、腰当て部は連結部で連結されていることを特徴とする、車輌シート用背もたれである。下枠と、下枠より小さな上枠を傾斜のついた支柱で固定して成り、上枠には網目  が設けられ、その交点には半円球の突起部を有することを特徴とする車輌シート用背も  たれ。本体の背当て部1と腰当て部2は、大きさの異なった上枠３と下枠４は、傾斜のついた支柱９で固定されていることで、本体内部に空間５を有し通気性が良く、又、上枠には網目状６が形成されており、その交点には半円球の突起部７が設けられていることで、背中・腰に当たり指圧作用が働く。  【選択図】  図１
2009254398.tif 000002
【特許請求の範囲】
【請求項１】
プラスチックにより形成された車輌シートの背当て部に装着できる背当て部と、  腰当て部は連結部で連結されていることを特徴とする、車輌シート用背もたれである。
【請求項２】
下枠と、下枠より小さな上枠を傾斜のついた支柱で固定して成り、上枠には網目  が設けられ、その交点には半円球の突起部を有することを特徴とする、請求項１記載の車輌シート用背もたれ。
【発明の詳細な説明】
【技術分野】
【０００１】
本発明は、自動車シートの背もたれ部に取付ける有用性の高い自動車シート用背もたれに関するものである。
【背景技術】
【０００２】
従来は木製の玉に穴を貫通し糸を通したものがあったが、一定に並べたことで面になってしまい、指圧効果は生じない。又、本体内部は空洞部になっていないため通気性はない。通気性効果のための籐製のものには指圧効果はない。
【特許文献１】特許平９−２６６９３８号公報
【発明の開示】
【発明が解決しようとする課題】
【０００３】
本発明は自動車等車輌を運転する際、運転中での肩や背中の筋肉疲労による痛み、腰痛の悩みは深刻となっている。又、暑い時期での運転者の背面の蒸れによる不快感及び、苦痛を緩和させるための背もたれを提供する。本体部の材質は強度・弾力性に優れた合成樹脂を使用し、構成は背もたれ部と腰当て部から成り、それらは各々背中・腰部の形状に合わせた曲線形状を形成し、表面には格子状又は、網目状を成し、その交点には突起部が１箇、又は複数箇設けられている。背もたれの上部には車輌シートのヘッドレストに取付けるためのベルトが装着されおり、ベルトに付けられたバックルで本体の上下位置は人体背部の最も心地良い部分に当接することができる。本発明を自動車シートに取付けることで、自動車の走行中での振動・揺れ等により人体背部のツボを刺激し、疲労回復や倦怠感の除去、血行の促進が自動的に可能となる。背もたれ部と腰当て部はお互いに鉤状のもので連結され、それらは各々柔軟に動作することで指圧作用が増す。又、各部には自由度があるため大型トラックから軽自動車までの大方のシートの曲面形状に合わせることができる。本体内部は中空になっているため通気性が良く、暑い日にも人体背面が蒸れることはない。  
【課題を解決するための手段】
【０００４】
プラスチックにより形成された車輌シートの背当て部に装着できる背当て部と、腰当て部は連結部で連結されていることを特徴とする、車輌シート用背もたれである。
【発明の効果】
【０００５】
自動車を運転中、又は、乗車中に車輌の振動・揺れ等で自動的に指圧効果が働き、マッサージが可能となる。本発明は車輌運転中での肩や背中の筋肉疲労による痛み、又、 腰痛の悩み、そして暑い時期での乗車時の身体の背面の蒸れによる不快感及び、苦痛を緩和させるものである。
【発明を実施するための最良の形態】
【０００６】
本体の背当て部1と腰当て部2は、大きさの異なった上枠３と下枠４は、傾斜のついた支柱９で固定されていることで、本体内部に空間５を有することで通気性が良く、又、上枠には網目状６が形成されており、その交点には半円球の突起部７が設けられていることで、背中・腰に当たり指圧作用が働く。本体背当て部１と腰当て部２は連結部８で連結されており、それらは各々柔軟に動作することから追従性が良く、大型トラックから軽自動車まで様々な車種の座席形状に取付けることができる。連結部８はＡ寸法よりＢ寸法が大きいため(1)方向から挿入後(2)の方向に９０度回転させることで、使用中に離脱することはない。背当て部１の上面には車輌ヘッドレストに掛けるためのベルト1０が装着されている。ベルトにはバックル11が付いており、背中・腰部の最も効果的な位置に調節できる。
【図面の簡単な説明】
【０００７】
【図１】本体斜視図である。
【図２】連結部詳細図である。
【符号の説明】
【０００８】
１、背もたれ部
２、腰当て部
３、上枠
４、下枠
５、空間
６、網目
７、突起部
８、連結部
９、支柱
10、 ベルト
11、 バックル
【図１】
2009254398.tif 000003
【図２】
2009254398.tif 000004
(57)【要約】【課題】  植木鉢の転倒を防止するには適当な道具を用意しなければならない。【解決手段】  本発明は二重に形成した側壁内に隔壁で仕切られた空間を持つ植木鉢であり、側壁内の空間に水を入れることで倒れにくくするものである。【選択図】図１
2009254339.tif 000002
【特許請求の範囲】
【請求項１】
二重に形成された側壁内に側壁の縁より低く複数の隔壁を設けた、環状の蓋を有する植木鉢。
【発明の詳細な説明】
【技術分野】
【０００１】  本発明は倒れにくい植木鉢に関する。
【背景技術】
【０００２】  これまでの植木鉢は植えられた植物によって重心が高くなること、植物の形状や設置場所の傾斜によって全体の軸が傾くことで転倒しやすかった。【０００３】  植木鉢の転倒を防止するには、鉢の上に重りをのせる、何かに縛り付けておくなどの作業が必要である。また、植木鉢を安定性の高い台座に固定するものがある（例えば、特許文献１参照。）。
【特許文献１】    特開２００６−０２０６１１号  公報
【発明の開示】
【発明が解決しようとする課題】
【０００３】  前記のような対策では適当な道具を用意しなければならない。
【課題を解決するための手段】
【０００４】  本発明は二重に形成した側壁の内部に水を入れて使用する植木鉢である。隔壁の高さを側壁の縁より下げることで、鉢を傾けるだけで空間ごとの水量調節ができる。
【発明の効果】
【０００６】  本発明の植木鉢を使用することで、新たに道具を用意することなく鉢を倒れにくくすることができる。
【発明の実施するための最良の形態】
【０００７】  本発明の植木鉢は二重に形成された側壁内の空間が隔壁により仕切られているが、隔壁の上端は側壁の縁より低い位置に設けられており側壁内の空間は上部でつながっている。また、側壁の縁に沿って装着される環状の蓋は植物の形状を問わず装着できるよう柔軟性のある素材で形成し切断部を設けている。
【０００８】  側壁内の空間に水を入れて重心を下げた後、植物の形状や設置場所の傾斜に応じて空間ごとの水量を調節して全体のバランスを取り倒れにくくする。
【図面の簡単な説明】
【０００９】
【図１】  本発明の断面図である。
【符号の説明】
【００１０】  １  側壁
２  隔壁
３  側壁内の空間
４  蓋
５  蓋の切断部
【図１】
2009254339.tif 000003
(57)【要約】【課題】一般家庭で、アサリなど貝の砂抜きをごく簡単にできるように、海水と同じ濃度の食塩水をつくるための食塩の量が計れる計量スプーンと、ふた、貝を入れるざる、水の入れる量のわかる容器をセットにした、計量スプーンつき貝の砂抜きセットを提供する。【解決手段】容器に水を入れる量がわかる水位ラインの印しと、これに入れる食塩の分量がわかる計量スプーン本体をセットにすることにより、安定した濃度の食塩水作りが可能になり、手軽に効率の良い貝の砂抜きができることを特徴とする計量スプーンつき貝の砂抜きセット。【選択図】図１
2009254338.tif 000002
【特許請求の範囲】
【請求項１】
容器に水を入れる必量を示す印しと、食塩の量が計れる計量スプーンをセットにすることにより、貝の砂抜きに必要な海水と、同じ濃度の食塩水をつくりやすくした計量スプーンつき貝の砂抜きセット。
【発明の詳細な説明】
【技術分野】
【０００１】本発明は、容器に入れる水の必量を示す印しつきの容器と、食塩の量を計る計量スプーンをセットにした計量スプーンつき貝の砂抜きセットに関するものである。
【背景の技術】
【０００２】従来は、水の量と食塩の割合が曖昧で、ごく簡単に調合できるものはなかった。
【特許文献１】特開２００８−１１７８２号公報
【発明の開示】
【発明が解決しようとする課題】
【０００３】貝の砂抜きで食塩水をつくるときに、水に対しての食塩の割合がスプーン何杯など、非常に曖昧な調合であるために適度な濃度の食塩水が作れず、貝が砂を吐かないなど難点であった。本発明は、この課題を解消するためになされたものである。
【課題を解決するための手段】
【０００４】容器に、水位ラインを印することで計量スプーン本体にある計量部の内容量が決まる。（水の容量に対して約３％の食塩）そして、すりきり機能を使用し、内容量の精度を上げることにより丁度良い濃度の食塩水が、簡単にできるようにした。また、計量スプーン本体を、ふたに装着することで別々にならないよう収納しやすくした。また容器に貝をのせるざるを装着することにより、砂などの不純物を分離できるようにした。以上を特徴とする計量スプーンつき貝の砂抜きセットである。
【発明の効果】
【０００５】常に適切な濃度で食塩水ができるため、貝の活動が活発になり砂吐きの効率がよい。また、貝の砂抜きを実施したいときに計量スプーン本体、ふた、ざる、容器がひとまとめになっているため作業が容易に行える。また、貝の吐いた砂等は、ざるにより底に沈殿するため貝に砂等が交じるのを防ぐ。
【発明を実施するための最良の形態】
【０００６】以下、本発明を実施するための最良の形態について説明する。
（イ）．容器（６）に水位ライン（５）を印する。（水位ラインの位置は容器半分ほどの水量が望ましく、また容器の大きさは、一般にパックで売られているアサリ２５０ｇ前後に適した大きさで保管しやすい形状が望ましい）
（ロ）．計量スプーン本体（１）にすりきり機能（１２）をつける。計量部（１３）の内容量は水位ライン（５）までの水の量に対し、食塩約３％分の内容量とする。（水位ラインまでの水量を５００ｃｃとした場合、食塩約１５ｇの内容量となる）
（ハ）．ふた（３）に計量スプーン本体（１）が装着でき、ざる（４）、容器（６）がひとまとめになるようにする。（ざるをセットした際、ざる底と容器底の隙間は、水位ラインから容器底間の１／４ほどの隙間が望ましく、水位ラインからざる底間はあさり約二個分が望ましい尚、ざるの網目の穴は、長めで、やや大きめが望ましい）
（ニ）．ふた（３）に通気穴（１０）をつくる。
（ホ）．計量スプーン本体（１）にくぼみ（７）をつけ、ふた（３）にもくぼみ（７）や、取っ手（８）をつけることで脱着を容易にする。本発明は以上のような構成で、これを使用するときは収納状態ら計量スプーン本体（１）、ふた（３）、ざる（４）、容器（６）を分離させる。容器（６）に、真水を水位ライン（５）の印しまで入れる。計量スプーン本体（１）の計量部（１３）に食塩を入れ、すりきり機能（１２）にて余分な食塩をすりきってから容器（６）に１杯だけ入れる。食塩が溶けるように良くかき混ぜる。ざる（４）に貝を入れ容器（６）にセットする。（貝の表面に汚れ等がある場合は、貝を真水で一度水洗いすると良い）貝が塩をふいたときに塩水が外に飛び出る可能性があるため、ふた（３）をする。（ふたは、気温や水温が低い際の保温効果もある）砂抜きの間は暗く、静かな場所におく。（食塩の溶け具合、水温等の変化により貝の活動する時間は異なるが、１〜２時間程度で砂を吐き始める）貝が砂を吐いたと思われたら、ざる（４）をあげる。そして、貝の吐いた汚れ等が付着している可能性もあるため、一度真水で水洗いしてから水を切り、一時間ぐらい経ってから調理すると良い。直ぐに調理しない場合は調理するまでの間、貝をざる（４）にのせ、空の容器（６）、ふた（３）、計量スプーン本体（１）をすべてセットして冷蔵庫等で保管しておくと良い。
【図面の簡単な説明】
【０００７】
【図１】本発明の構成を示す図である。
【図２】本発明の収納・使用状態を示す正面図である。
【図３】本発明の収納・使用状態を示す正面断面図である。中心線より左は正面前方断面図、右は正面中央断面図である。
【図４】本発明の収納・使用状態を示す平面図である。
【図５】本発明の計量スプーン本体の平面図である。
【図６】本発明の計量スプーン本体の右側面図である。
【図７】本発明の収納・使用状態を示す右側面図である。
【図８】本発明の収納・使用状態を示す右側面断面図である。
【符号の説明】
【０００８】１  計量スプーン本体
２  装着位置
３  ふた
４  ざる
５  水位ライン
６  容器
７  くぼみ
８  取っ手
９  本体
１０  通気穴
１１  すりきり範囲
１２  すりきり機能
１３  計量部
１４  可動範囲
【図１】
2009254338.tif 000003
【図２】
2009254338.tif 000004
【図３】
2009254338.tif 000005
【図４】
2009254338.tif 000006
【図５】
2009254338.tif 000007
【図６】
2009254338.tif 000008
【図７】
2009254338.tif 000009
【図８】
2009254338.tif 000010
(57)【要約】【課題】  この発明は、従来のマーキングバンドや紙おむつによる、ずれや、洗濯の手間、尿漏れなどを解決し、ペットのための尿専用使い捨て紙おむつを提供する。【解決手段】  尿吸収体に立体ギャザーを装備し、２方向に分かれる、全面に調節可能な止着テープにより、ずれや尿漏れを解決し、利便性やデザイン性、機能性に優れた、ペットのための尿専用使い捨て紙おむつでこの課題を解決する。【選択図】図６
2009254335.tif 000002
【特許請求の範囲】
【請求項１】
ペットのマーキングや老化による尿汚染を防止し、利便性やデザイン性、機能性に優れたペット用の尿専用使い捨て紙おむつ
【発明の詳細な説明】
【技術分野】
【０００１】  本発明は、ペットのマーキングや老化に伴う尿汚染を防止するためのペットの尿専用使い捨て紙おむつに関するものである。
【背景技術】
【０００２】  従来、ペットの紙おむつは肛門も一緒に覆うものであった（特許文献１）。従来のマーキング防止には、布製のマナーバンドや、それに人間用の生理帯等をはさむなどして使用されてきた。
また、マーキング用に開発されたものは、他に、バンドを使用しなければいけないもの（特許文献２）や、従来の紙おむつと形状があまり変わらない物（特許文献３）があった。
【特許文献１】  特開  平１０−０７５６７９号公報
【特許文献２】  特開  ２００７−３３０２４６号公報
【特許文献３】  特開  ２００７−２０５３３号公報
【発明の開示】
【発明が解決しようとする課題】
【０００３】  従来のペットの紙おむつは、肛門も一緒に覆うものであり、排便と排尿を分けることはできず、マーキングや老化に伴う排尿障害のみに対応するものではなかった。
また、従来のマーキング防止には、布製のマナーバンドや、それに人間用の生理帯等をはさむなどして使用されてきたが、ずれ易く、大量の排尿に対応するものではなく、洗濯などの手間がかかり、コストも高い。
マーキング用に開発されたものには、他に、バンドを使用しなければいけないため、着脱の利便性に欠け、外れやすい。紙おむつと形状が変わらないため、ずれ易く、デザイン的ではなく、側腹部や背部にまで吸収剤が及ぶため汚染されてしまうものがあり、普及されていない。
本発明は、以上の問題点を解決したものである。
【課題を解決するための手段】
【０００４】  マーキング防止に適した尿道口を覆う形状である、内側の透水性シートと外側の防水性シートとの間に、吸水剤を配置した紙おむつに、吸収剤を有しない部分に続き、２方向に分かれた着脱用及び調節用テープの構成からなる、利便性やデザイン性に優れ、ずれを解消した機能をあわせ持つ、ペット用の排尿吸収専用使い捨て紙おむつである。
【発明の効果】
【０００５】  本発明により、室内や、外出時のマーキングを防止できると共に、介護用に使用された場合でも、排尿専用のため便と混じり汚染されることがない。また、使い捨てで、装着が簡単なため容易に使用でき、排尿を受ける吸収体は腹部に限局されているため、余分な体毛の汚染がない。２方向に分かれる着脱及び調節テープにより、ペットの腹部の形状に合わせて固定することができ、ずれを予防し、体面にフィットする。デザイン性にもすぐれ、体にフィットしているため、ごわつきがなく、この上から、ペット用の洋服を着せても、違和感がない。尿の吸収能力や尿漏れ防止など、機能性に優れているため、マーキングだけではなく、大量の排尿にも対応でき、外出時間の長い飼い主の室内飼育ペットにも対応が可能である。ペットブームで室内犬が増えている現在で、大変有用である。
【発明を実施するための最良の形態】
【０００６】  以下、本発明の実施の形態について説明をする。
（イ）図１、１に示すように、マーキング防止に適した尿道口を覆う形状である、内側の透水性シートと外側の防水性シートとの間に、吸水剤を配置した尿吸収体。
（ロ）（イ）の周囲に、図１、２に示すように、排尿漏れ防止用立体ギャザーを設ける。
（ハ）（イ）の両側面に、図１、３に示すように、吸収剤を有しない部分に続き、図２、に示すように、２方向に分かれた着脱用及び調節用止着テープを設ける。４に示すように、内面にフック型面ファスナーが、５に示すように、外面はループ型面ファスナーが全面に設けられている。
本発明は、以上の構成からなる、利便性やデザイン性、機能性に優れ、ずれを解消した、ペット用の排尿吸収専用使い捨て紙おむつである。【０００７】  図３のように、紙おむつ吸収体部分を尿道口に覆うように装着する。前後は同様の形態になっているため、どちらでもよい。次に、図４、図５、図６のように、左右の止着テープで、ペットの腹部の形状に合わせて、フィットするように固定する。【０００８】  使用後は、そのまま、廃棄できる。量産による、低コスト化を図り、これまでのような、ずれや、洗濯の手間が解消できる。【０００９】  ペットの大きさに合わせて、Ｓ、Ｍ、Ｌ、などのサイズを設ける。
【図面の簡単な説明】
【０００１０】
【図１】本発明の斜面図
【図２】本発明の正面展開図
【図３】本発明をペットの腹部から見た装着図
【図４】本発明をペットの背部から見た装着図
【図５】本発明をペットにクロスで使用した装着例
【図６】本発明をペットに使用した基本の装着例
【符号の説明】
【０００１１】１  内側の透水性シートと外側の防水性シートとの間に、吸水剤を配置した尿吸収体。
２  立体ギャザー
３  吸収体を有しない接続部
４  フック型面ファスナー
５  ループ型面ファスナー
【図１】
2009254335.tif 000003
【図２】
2009254335.tif 000004
【図３】
2009254335.tif 000005
【図４】
2009254335.tif 000006
【図５】
2009254335.tif 000007
【図６】
2009254335.tif 000008
(57)【要約】【課題】０．５０μｍ付近以上の長波長域の最大放射ピーク波長が０．５４μｍから０．５７μｍ付近で放射光を持つ高効率防虫用光源の簡単な作製方法【解決手段】イミダゾロン顔料含有物、クリアー、エポキシ樹脂、硬化剤の混合物を発光管、あるいはその外球、又はグローブ球に塗布することによって作成する【選択図】図１
2009254333.tif 000002
【特許請求の範囲】
【請求項１】
イミダゾロン顔料とエポキシ樹脂を含んだ塗料を高温の発光管、あるいはその外球、又はそのグローブ球に、塗布することによって０．５０μｍ付近より長波長域の放射光を持ち、０．５４μｍから０．５７μｍ付近に最大放射ピーク波長を有することを特徴とする防虫光源。
【発明の詳細な説明】
【発明の詳細な説明】
【技術分野】
【０００１】本発明は、果樹や野菜等の害虫であるコナジラミ類、アザミウマ類、アブラムシ類（有翅）、ハエ類等を引き寄せ、夜蛾類、カメムシ類等の害虫を忌避させる防虫光源の作製法。
【背景技術】
【０００２】果樹の成熟果を吸害するものとして、アケビコノハ、アカエグリバなどの夜蛾類、カメムシ類等があり、トマト、ネギ、ショウガなどの野菜、カーネーション、キクなどの花き類を加害するものとして、ハスモンヨトウ、シロイチモジヨトウ、オオタバコガ、アワノメイガなどの夜蛾類、コナジラミ類、アザミウマ類、ハモグリバエ類、アブラムシ類（有翅）、ハエ類等がある。【０００３】これらの夜蛾類の農作物被害防止方法として、走光性を活用したものがあり、代表的光源として青色蛍光灯、黄色蛍光灯がある。青色蛍光灯は０．３０μｍから０．５５μｍの波長域の光を放射し、最大放射ピーク波長は０．４３μｍ付近にあり、一般的に、誘引行動をひきおこす。【０００４】黄色蛍光灯は０．５０μｍから０．７０μｍの波長域の光を放射し、最大放射ピーク波長が０．５８５μｍ付近にあり、この蛍光体は０．５８５μｍ付近に主発光ピーク波長を有しており、０．５０μｍ以下の短波長域の光をチタンイエロー等を含む顔料を発光管に塗布し遮断したものである。黄色灯の防虫のメカニズムは複眼の明適化による夜蛾類の忌避あるいは行動抑制であり、そのために必要な照度は約１ルックス以上であるといわれている。【０００５】青色蛍光灯使用の時は、多種類で大量の飛来昆虫を捕獲する必要があるが、それが非常に困難であるため黄色蛍光灯がより防虫光源として効果的である。
【発明の開示】
【発明が解決しようとする課題】
【０００６】夜行性昆虫の忌避行動あるいは誘引行動をとる放射波長域はその種類によって異なるが、走光性を０．５０μｍ付近よりの長波長域の放射光には行動抑制、あるいは忌避行動を示すといわれており、慣行の黄色蛍光灯はそれに基づき作製されている。【０００７】黄色灯に寄ってくる、コナジラミ類、アザミウマ類、アブラムシ類（有翅）、ハエ類等は黄色蛍光灯に殺傷捕獲手段を付加することによって、防除できる。【０００８】慣行の黄色蛍光灯は放射光量が低く、しかも最大放射ピーク波長が０．５８５μｍ付近にあるため、夜蛾類の忌避効果が低く、さらに、コナジラミ類、アザミウマ類、アブラムシ類（有翅）、ハエ類などの誘引効果が低く、防除のためには、設置灯数を多くしなければならない。【０００９】さらに、長期点灯すると、発光管の発熱のため、０．５μｍ付近より低波長域の光を遮断するための発光管、外球、またはグローブ球等の表面に形成された膜の剥離が起きてくる。【００１０】本発明は上記の問題点を解消し、最大放射ピーク波長が０．５４μｍから０．５７μｍ付近にあり、より放射光量が高い防虫用光源の作成方法を提供することにある。
【課題を解決するための手段】
【００１１】上記目的を達成するために、本発明の方法は、０．５０μｍ付近より長波長域の効率的放射、および０．５０μｍ付近より短波長域の遮断にイミダゾロン顔料を用いた塗料とクリヤー、剥離現象を抑えるためのエポキシ樹脂含有剤との適当な割合の混合物を発光管、あるいはその外球又はグローブ球に塗布することを特徴とする。
ここで光源としては直管、環形、あるいは電球型等の蛍光灯、ＬＥＤ、ＨＩＤ等を用いる。
【発明を実施するための最良の形態】
【００１２】以下、本発明の好適な実施の形態を説明する。防虫用光源は０．５０μｍ付近より短波長域を遮断し、それより長波長域を効率よく透過することである。【００１３】水酸基含有アクリル樹脂とベンズイミダゾロンの混合物、エポキシ樹脂、クリヤー、硬化剤（イソシアネート化合物）、シンナーを  ９：３：１８：８：８の重量比で混合し白色の蛍光灯（色温度４２００Ｋ）のガラス管に塗布し、自然乾燥、あるいは高温で短時間処理（７０℃で３０分間）して硬化させる。
ここでクリヤーの割合を変えることにより、放射光の短波長側を０．４５μｍから０．５３μｍまで簡単にかえることができる。【００１４】本発明に係る防虫用蛍光灯の分光分布特性を図１に示す。この蛍光灯は０．５４５μｍ付近に最大放射ピーク波長を持ち、従来の黄色蛍光灯の１．３倍の放射照度を持つ。
【発明の効果】
【００１５】以上説明したように、本発明によれば慣行の黄色蛍光灯よりも効率的光源の作製、さらにイミダゾロン顔料あるいはクリヤーの含有率を変えることにより、同じ発光管でいろいろな昆虫に対応できる防虫用光源の簡単な作製が可能である。
【産業上の利用可能性】
【００１６】温暖化の影響で昆虫の生息数が増加しており、ヒト用の照明用光源も昆虫の飛来を抑制するものにする必要があり、この方法で簡単に作成できる。
【図面の簡単な説明】
【図１】防虫用光源の分光特性図
【図１】
2009254333.tif 000003
(57)【要約】      （修正有）【課題】鳥が飛来して、糞、羽毛などの汚れで困っている人に、芯に、適度な長さの筒を、通したり、切れ目からはめ込んだりして、連続して長くしてあるために、鳥が飛来して止まろうとしても、適度な長さの筒が回転して止まれなくする、鳥追い払い装置を提供する。【解決手段】芯１に、適度な長さの筒「切れ目を入れてもよい」２を、通したり、切れ目からはめ込んだり、連続させて長くした、鳥追い払い装置を特徴とる。【選択図】図１
2009254330.tif 000002
【特許請求の範囲】
【請求項１】
芯（１）に、適度な長さの筒「切れ目をいれてもよい」（２）を、通したり、切れ目からはめ込だりして、連続させて長くした、鳥追い払い装置。
【発明の詳細な説明】
【技術分野】
【０００１】この発明は、芯に、適度な長さの筒「切れ目をいれてもよい」を、通したり、切れ目からはめ込んだりして、連続させて長くした、鳥追い払い装置に関するものである。
【背景技術】
【０００２】従来は、つり糸を張る。ネンチャクテ−プを貼る。ビニ−ルで、出来た風船の目玉。網を張る。このようなことであった。
【発明の開示】
【発明が解決しようとする課題】
【０００３】これは、次のような欠点があった。
つり糸を張っても、鳥が少しじゃまになるていど。ネンチャクテ−プも、鳥がネチャネチャするていど。ビニ−ルの風船の目玉も、始めは驚くがすぐになれる。いずれも消極的である。網を張ると外観をそこなう。
本発明は、以上のような欠点をなくするためになされたものである。
【課題を解決するための手段】
【０００４】芯（１）に、適度な長さの筒「切れ目をいれてもよい」（２）を、通したり、切れ目からはめ込んだりして、連続させて長い装置をつくる。
本発明は、以上の構成よりなる、鳥追い払い装置である。
【本発明の効果】
【０００５】芯を軸として、適度な長さの筒「切れ目をいれてもよい」を、連続させてある適度な長さの筒は、固定されていないため、少しの力でも自由に動き、鳥が止まろうとしても、適度な長さの筒が回転し、バランスがとれず、止まれなくする、鳥は驚いて逃げて行く、いままでとは違い、積極的に鳥を追い払うことが出来る。
【発明を実施するための最良の形態】
【０００６】以下、本発明を実施するための最良の形態について説明する。
芯（１）に、適度な長さの筒「切れ目をいれてもよい」（２）を、通したり、切れ目からはめ込んだりして、連続させて長い装置をつくる。
本発明の材質はどのような物でもよく、芯は軸の役目をし、適度な長さの筒は回転すればよい、長さ太さは対象となる鳥、場所により最適な物を使用する。
本発明は、以上のような構造である。
これを使用するときは、鳥が飛来して、糞、羽毛などの汚れで困っている場所マンションのベランダや、手すり、その他にも多くあり、そのような所の真上に少し空間をあけて、設置する。
尚、駅、歩道とか人が多く集まる所では、頭上に設置する。
【図面の簡単な説明】
【０００７】
【図１】  本発明の斜視図である
【図２】  本発明の断面図である
【符号の説明】
【０００８】１  芯
２  適度な長さの筒「切れ目をいれてもよい」
【図１】
2009254330.tif 000003
【図２】
2009254330.tif 000004
(57)【要約】      （修正有）【課題】食パンの内部に開口部を設けた開口食パンを提供する。【解決手段】食パンに浅いスライス３を設け、薄い上層４と下層５からなる開口部を設ける。該食パンを軽くトーストし上層４を開き、下層５に和食の食材である惣菜等をのせて上層４を閉じると、開口部分で食材は上層４下層５に包まれる。食事中、該食パンの両端を両手で持つことで両端の上層４と下層５は左右の指で閉じることができるため、該食パンの周囲から食材をこぼれ落とすことなく食べられる。【選択図】図１
2009254328.tif 000002
【特許請求の範囲】
【請求項１】
一枚の食パンの内層に、パンの平面と平行に浅いスライスを設け、上下２層からなる開口部を有することを特徴とする開口食パン。
【発明の詳細な説明】
【技術分野】
【０００１】  本発明は、食パンを浅くスライスし上下２層とする開口部を設け、開口部に食材を入れ２層で包んで食べる開口食パンに関するものである。
【技術背景】
【０００２】  従来、市販の食パンは、表面にバターやジャムを塗って食べたり、好みの食材をパンにはさんで食べた。
【発明の展開】
【発明が解決しようとする課題】
【０００３】  そのために、次のような問題があった。
（イ）  手足の不自由な高齢者や障害者は、食材をパンにのせて食べても食材で手を汚し  たり、またその周囲から食材がこぼれ落ちて床や布団を汚し、家族や介護者の負担にな  った。
（ロ）  市販の薄切りの食パンで食材をはさんで食べても、パンのボリューム感でお腹が  満腹になり好みの食材を十分食べきれなかった。
（ハ）  楽しいはずの家族のだんらんの食事で周囲に気を使うようになり、やがて不安が  つのり食事することに気兼ねした。
本発明は、これらの問題を解決するためになされたものである。
【問題を解決するための手段】
【０００４】  一枚の食パンの内層に、パンの平面と平行に浅いスライスを設け、上下２層からなる開口部を有することを特徴とする開口食パン。
【発明の効果】
【０００５】  家族の暖かい支援のもとで、好みの食材を思いのまま食べられて食事の時間が待ち遠しくなり、また食事中は気兼ねなく楽しい家族のだんらんの食事ができる。
【発明を実施するための最良の形態】
【０００６】  以下、発明の実施の形態について説明する。
食パンに浅いスライス（３）を設け、薄い上層（４）と下層（５）からなる開口部を設ける。
本発明は以上のような構成で、これを使用するときは、本発明を軽くトーストし上層（４）を開き、下層（５）に和食の食材（６）である惣菜等をのせて、上層（４）を閉じると開口部（２）で食材（６）は上層（４）下層（５）に包まれる。
食事中、本発明の両端を両手で持つことで両端の上層（４）と下層（５）は左右の指で閉じられて、本発明は周囲から食材（６）をこぼれ落とすことなく食べられる。
また、ホテルの朝食のバイキングや職場や友人同士のホームパーテイなどの立食パーテイなどでも、自分の得意とするオリジナルの組み合わせがみんなで楽しめる。
【図面の簡単な説明】
【０００７】
【図１】  本発明の斜視図
【図２】  本発明の食材を盛りつけた側面図
【図３】  本発明の食材を包んで閉じた断面図
【符号の説明】
【０００８】  １  開口食パン
２  開口部
３  スライス
４  上層
５  下層
６  食材
【図１】
2009254328.tif 000003
【図２】
2009254328.tif 000004
【図３】
2009254328.tif 000005
(57)【要約】【課題】重量車両がパネルの上を走行したらその荷重でパネルが幾分か埋没していた。又。散水，透水時の管理が大変であった。【解決手段】鋼管を二三分割した曲面状の鋼板で荷重を受け止めることに拠り、これまでより安価、軽量、工場での事前組立に拠り解決する。芝の栽培には栽培客土層に充分な珪藻土粒を添加する。【選択図】図１
2009254329.tif 000002
【特許請求の範囲】
【請求項１】
工場内でエックスパンデッドメタル板をＵ型鋼で囲いプレハブパネルを作っておく。また別に鋼管の丸みを活用したパネルのジョイント装置（（第二図）、（第三図））を準備して置く。それらを現場で組み合わせる事に拠り、重量車両に耐える透水性舗装の緑化システム。
【請求項２】
芝生の栽培土壌には、保水性、透水性共に優れた珪藻土粒を充分添加することに拠り、芝の生育を助け、管理を容易にする。
【発明の詳細な説明】
【技術分野】
【０００１】（第二図）（第三図）共に荷重分散用に２−３分割した鋼管２の上にジョイント部分からの荷重を強度のある鋼管・垂直支持体３で支えている．鋼管２はパネルの中間でカットしているが、もう少し荷重分散したい時にはカットせず一本の鋼管にすればよい。
【背景技術】
【０００２】これまでの技術では重量車の荷重を分散する事は用意ではなかった。特に出来るだけ工場生産し、現場での工事を減らしたかった。
【発明の開示】
【発明が解決しようとする課題】
【０００３】車両、出来れば重量車が上を走っても芝生を保護しているパネルが埋没しないように荷重分散したい。芝生の栽培には出来るだけ管理費が掛からないようにしたい。
【課題を解決するための手段】
【０００４】安価、軽量、設置工事が簡単ということから、出来るだけ鋼管の円形から生み出される長所を生かしたい。又芝の栽培には保水性、透水性抜群の珪藻土粒を出来るだけ活用したい。
【発明の効果】
【０００５】２−３分割した鋼管（又は鋼材）は軽量な割には耐荷重性能が大きいので、平らな鋼板より、薄いものを使っても充分な効果が期待できる。垂直支持体３は上部に切れ目を入れるだけでメタル・パネルを固定でき，耐荷重強度も充分です。
【発明を実施するための最良の形態】
【０００６】プレハブパネルだけでなく、（第二図）、（第三図）全て工場で組立、現場に置くだけなので、安価に、短時間で組立が完了する。珪藻土粒の効果は前述の通り。
現場でボルトナットを使う必要性が無い場合も有りうる。
【実施例】
【０００７】鋼管の丸みが有効利用できることは容易に考えられる。珪藻土粒の効果は既にゴルフ場、屋上緑化で証明されている。
【産業上の利用可能性】
【０００８】透水性緑化舗装は今や重要な環境課題の一つで、本件が軌道に乗れば大きな市場が期待される。
【図面の簡単な説明】
【０００９】
【図１】平面図。左上が全体を設置後の角に当たる。芝生は省略している。
【図２】（図１）を水平面、右から見た所。
【図３】（図１）を水平面、下部から見た所。
【符号の説明】
【００１０】１  プレハブパネルの外側のＵ字型鋼。
２  走行車両の荷重を分散して受け止める２−３分割した鋼管。
３  プレハブパネルからの荷重を垂直な鋼管３を通じて鋼管２に伝える。
４  プレハブパネルのジョイント部分。
５  鋼管３が荷重で横倒れするのを防ぐ支持棒。
６  芝生栽培用目土。
７  栽培客土層。土壌改良剤（珪藻土粒）を添加。
８  排水層。
９  下層路盤。
【図１】
2009254329.tif 000003
【図２】
2009254329.tif 000004
【図３】
2009254329.tif 000005
(57)【要約】【課題】  ピーナッツ入り各種の麺を、一般により多くの人たちに採りいれられるように工夫した、製造方法を提供する。【解決手段】  ピーナッツ粉に小麦粉などをまぜ合わせ、これをよく練り合わせて、団子状にして、さらに、一定時間寝かせたものを、薄く延ばし、これを細長く裁断して、ピーナッツ入り、そば、ラーメン、スパゲテイー、うどん等を、製造する方法が提供される。【選択図】図１
2009254374.tif 000002
【特許請求の範囲】
【請求項１】
小麦粉に一定の割合で、ピーナッツ（落花生）の粉を混合し、これをよく練り合わせ、かたまりとする。その後一定時間寝かしたのち、薄く延ばして、さらに２から３ｍｍ程度に、細長く裁断した、ピイーナッツ麺である。このピイナッツ麺として、利用できるのは、ピイナッツ入りの。うどん等（そうめん、きしめん、ほうとううどんを含む）、そば、スパゲテイー、ラーメン、などの製造が可能であります。なおピイナッツ粉は、ピイナッツを、火で炒り、さらにこれを細かく粉状に、粉砕したものを、使用する方法。
【請求項２】
前記請求項１の麺を使って、うどん、を製造する場合い、まず小麦粉７０％と、ピイナッツ粉を３０％混ぜ合わせ，温湯でよく練り合わせ、かたまりとなったら、これを常温で、ビニール袋などに入れて、５時間寝かせたのち、これを薄く延ばして、ピーナッツうどん
【請求項３】
前記請求項１の麺を使って、そば、を製造する場合い、まず小麦粉４０％、そば粉４０パーセント、ピーナッツ粉２０パーセントを混ぜ合わせる。この粉全体の総量の、５０パーセントの温水で、よく練り合わせ、かたまりとなったら、これを常温でビニール袋などに入れて、２時間寝かしたのち、薄く延ばして、裁断したピーナッツ入りそば、
【請求項４】
前記請求項１の麺を使って使って、ラーメンを作る場合い、まずラーメン用小麦粉に、ピーナッツ粉を混ぜ合わせ、両方の粉の総量の、５０パーセントの水でよく練りこむ。かたまりとなったら、これをビニール袋に入れて、３００回足で踏みつける。さらにこれを、冷蔵庫に１０時間寝かしたのち、薄く延ばして、細く裁断した、ピーナッツ入りラーメン
【請求項５】
前記請求項１の麺を使って、スパゲテイー（パスタを含む）を作る場合、まず小麦粉７０パーセント、ピーナッツ粉３０％に、両方の粉の総量に対し、５０パーセントの卵と、５パーセントのオリーブ油を混ぜ合わせ、それを強く練り合わせ、弾力がでてくるまで、練り上げた後、これを冷蔵庫で２時間ビニールの袋などにいれて寝かせる。これを取り出して、薄く延ばして、細長く裁断したピーナッツ入スパゲテイー
【発明の詳細な説明】
【技術分野】
【０００１】本発明は、ペーナッツ入り、そば、ラーメン、スパゲテイー、うどん等のピーナッツ入り麺及び、ピーナッツを使った、各種類の麺の製造方法に関するもの。
【背景技術】  麺類の製造は、一般には、各種の粉に、水または温湯を加え、これをよく練り合わせ、一定お時間を経過した後に、これを薄く延ばし、細長く裁断をして、各種の麺を製造している。
【発明が解決しようとしている課題】
【０００３】  ピーナッツの大半は、ピーナッツを、火で炒って、この豆の皮をむいて，直接食べるものがほとんどである。その味は非常に美味であり、ついつい食べ過ぎてしまうことが多い。ビタミンをはじめ、栄養価が高く、最中や、羊かんなど、菓子類にも多くつかわれ、幅広い食品であり、日常的に食べられている。
【０００４】  ピーナッツはそのほとんどが前述のとおり、豆を炒ったものが多く好まれるが、一方では豆類で、しかも炒ってあるため、硬いのが特徴である。このためよく噛まないと、消化不良の原因にもなるため、胃腸の弱い人や、特に子供、老人や，歯の悪い人や、弱い人においては、あまり食べられていないと同時に、敬遠されがちである。
【課題解決するための手段】
ピーナッツ粉に小麦粉を混ぜ合わせ、これを良く練って団子状にし、さらに一定時間寝かせたものを薄く延ばし、これを細長く裁断して、ピーナッツ入りの、そば、ラーメン、スパゲテイー、うどん等が提供される。
【発明の効果】
【０００６】  ピーナッツ麺にすることにより、その風味を麺に取り入れることにより、多くの人たちに、味わっていただくことが可能である。またピナッツ麺にすることにより、ピーナッツの持っている、美味な味と風味が簡単に取り入れられる。このことにより、子供や、老人、歯の悪い方なども、安全でしかも、小麦粉と混合してあるため、主食にもなり、また非常に食べやすくなるため、多くの人たちに好まれる。
【発明を実施するための最良の形態】
【０００７】ピーナッツ入り麺としては、そば、ラーメン、スパゲテイー、うどん等が可能であり、それを実施するには、小麦粉、ピーナッツ粉、そば粉、卵、オリイーブ油、などの材料が必要である。なおピーナッツは、原料の豆を炒り、さらにこれお細かく、粉状に粉砕したものである。【０００８】  ピーナッツ入りそばは、小麦粉４０％、そば粉４０％、ピーナッツ粉２０パーセントを混合し、充分かき混ぜたのち、団子状にまでこねて、表面がなめらかになるまでこね合わせる。これを常温で、２時間寝かしたのち、薄く延ばして２から３ｍｍの太さに裁断する。またこれお乾燥させて、かん麺とすることもできる。【０００９】  ピーナッツ入りうどん等は、小麦粉７０パーセント、ピーナッツ粉３０％を混合して、充分こねた後、常温で４時間寝かしたのち、これを薄く延ばして、２から３ｍｍに裁断する。またこれを乾燥させて、乾麺とすることもできる。【００１０】  ピーナッツいりスパゲテイーは、小麦粉７０パーセント、ぴーナッツ粉３０％に、両方の粉の総量に対し、５０パーセントの卵と、オリーブ油５パーセントを加え、混ぜ合わせたのち、透きとうった、あめ色になるまでこね合わせる。これを冷蔵庫で、２時間ほど寝かせたのち、薄く延ばして３から４ｍｍに細長く裁断する。またこれを乾燥させて、かん麺にすることもできる。【００１１】  ピーナッツ入りラーメンは、小麦粉（ラーメン用）７０パーセントに、ピーナッツ粉３０％を混ぜ合わせ、ビニール袋などに入れて、３００回ほど足で踏みつけるなどの圧力を加え、強いこしが出るまで、練りこむ。その後１０時間、令蔵庫にビニールなどに入れて寝かした後、これを薄く延ばして、細長く裁断する。またこれを乾燥させてかん麺にすることもできる。
【図面の簡単な説明】
【００１２】
【図１】本発明のピーナッツ入り麺の、製造工程を示す図である
【符合の説明】
【００１３】１  小麦粉、そば粉等
２  ピーナッツ粉
３  材料の混合工程
４  材料の練り工程
５  材料の寝かせ工程
６  材料の延ばし工程
７  材料の裁断工程
【図１】
2009254374.tif 000003
(57)【要約】      （修正有）【課題】車両内にて乗客に新聞・書籍を販売できる車両用新聞・書籍販売装置を提供する。【解決手段】袋状容器１は前記袋状容器１に挿入するアルミフレーム２、新聞紙が落ちない為の網状の底布５、前記袋状容器１を運転席８に固定する為のベルト６より構成され、前記袋状容器１を前記運転席８の裏面に対して車両の振動、衝突により前記袋状容器１が遊離、剥離されない強度を保つ前記ベルト６にて装着し固定され、新聞紙等を前記袋状容器１に収容して使用される。【選択図】図１
2009254656.tif 000002
【特許請求の範囲】
【請求項１】
この特許は、タクシー・バス・電車等の移動車両内に於いて、乗客への新聞・雑誌の購読と販売サービスを行なう事を目的とした、新聞・雑誌収納容器を設けた車両用新聞・書籍販売装置である。
【請求項２】
乗客による紙面破損や、雨水等漏水事故防止用ポリ袋外装による、乗客の新聞・雑誌取上時に発するポリ袋等独特の引き抜き音や、機械式、光学的盗難防止センサーによる乗客からの盗難防止装置を設けた請求項１の車両用新聞・書籍販売装置である。
【請求項３】
トランク内(車両倉庫)の在庫から請求項１の収納容器に１部づつ移動する事で、乗員の部数管理が確率される車両用新聞・書籍販売装置である。
【請求項４】
激減する新聞・書籍業界、タクシー業界の救済策を目的とした、新聞・雑誌収納容器を設けた請求項１の車両用新聞・書籍販売装置である。
【請求項５】
販売部数・冊数の落ち込みが続き、危機的状況の新聞・書籍業界は、全量が廃紙処分され解消の見込みは皆無である。このシステムは廃紙料金を可能な限り正規料金に近づける事を目的とする請求項１を設けた車両用新聞・書籍販売装置である。
【請求項６】
このシステムは全国何処にでも有る大量の車両を利用、販売物が“欲し時”に“欲しい所”に存在し販売する事で、止める事の出来ない部数の落ち込みを、請求項1の装置により、画期的増紙等を可能にする車両用新聞・書籍販売装置である。
【発明の詳細な説明】
【技術分野】
【０００１】
本発明は、破損を防止し、盗難事故防止装置も付加し、読者に購読・販売する容器を有する車両用新聞・書籍販売装置に関する技術である。
【背景技術】
【０００２】
車両用新聞・書籍販売装置に関する特許及び実案は公開中も含め、これに関するシステム並びに、車両の室内及び装置の容器自体に関する特許２件、実案は３件が存在する。(特許文献１〜実案文献３参照)
【０００３】
【特許文献１】特開２００５−１７４２６６号は新聞自販機用の払い出し口パネルに設置するサンプル構造で類似箇所が相違ない。（平成１９年２月２７日最終処分）
【特許文献２】特開平１０−１０５８２８号は新聞自販機及びニュース配布用電子制御手段で類似部分は無い。(平成１６年１２月２８日最終処分)
【特許文献３】実開平０５−０２０１７７号は駅内の自販機構造体で類似箇所が無い。(平成１０年１０月３０日最終処分)
【特許文献４】実登３００８１６４号は新聞送出口の特許で類似点は無い。（平成９年１２月１４日最終処分）
【特許文献５】実登２５８８４18号は新聞自販機の機構とは違う。（平成１０年１０月３０日最終処分）
【発明の開示】
【発明が解決しようとする課題】
【０００４】
以上に述べた車両用新聞・書籍販売装置が、車両事故時の人身損傷に対する防御策と、盗難に於ける販売者としての防止策が重要な課題である。
【課題を解決するための手段】
【０００５】
衝突事故防御策として装置本体の構造を、車両装着状況が可能な限り出っ張りを無くす事で、装置が加害者になら無い様な構造とした。
【０００６】
危険防止システムで最も進んでいる航空機と同様の材質と構造を取り入れ、それに加え新聞紙自体も緩衝材としての機構にとりいれている。
【発明の効果】
【０００７】
この装置が最も利用の見込めるタクシーの場合、装置本体が密室の車内、それも運転座席裏面に設置される為、新聞・書籍をポリ袋等で包装する事で、袋独特の音
と引き抜く振動等による原始的ではあるが盗難防止と成りうる、また機械式、光学式などの一般的な盗難防止センサー９を装着すれば高品質の防護策となり、盗 難防止効果が確立される。
【発明を実施するための最良の形態】
【０００８】
次に、装置本体をベルト固定式にすると、あらゆる車両に設置可能となる。装置をタクシーに装着する場合、本体１を運転手の座席８の背にベルト６で縛り固定さ
せる事が、事故時、運転手、また乗客にも危害を与えず、また本体１を取り付けた後も、簡単に脱着が出来る構造である。また装着する車両構造により、ベルト ６の変わりに一般的装着方法であるネジ止め、金属器具による固定式でも装着できる。
【０００９】
この機構は、国内に実働する数万台のタクシー及びバス・電車に巨大な市場に装着する事で、減少が止まらない新聞・書籍の部数・冊数を、新たに開拓できる効果を提供する事が本装置の最大の目的である。
【００１０】
以下、本発明の実施の形態を図1・図2に基づいて説明する。
図1は、本発明の車両用新聞・書籍販売装置の本体部分1の正面図と、図１の右図はその側面図、下部は平面図である。運転席８の裏面に対し、車両の振動、衝突により本体が遊離、剥離されない強度を保つベルト６を本体１に装着し固定することを目的としている装置である。
【００１１】
図２の左図は、四つ折りの新聞紙４を横に並べる構造と、図２の右図は二つ折りの新聞紙を縦に差し込む構造で、設置場所により縦・横型を選ぶ事が出来る構造を有する装置である。図２の下図はこれらの立体図を表す。
【産業上の利用可能性】
【００１２】
装置本体を、縦型または横型、また開口部分を大きくするか容器の深さを変化するだけで収容したい部数に合わせる事が可能となる。
【図面の簡単な説明】
【００１３】
【図１】車両用新聞・書籍販売装置本体の正面図と右図はその側面図と、下図は図１の平面図である。（実施例１）
【図２】図１を正面から見た図で、下図はその立体図を表している。
【符号の説明】
【００１４】
１／新聞紙を入れる袋状容器
２／袋状容器に挿入するアルミフレーム
３／袋状容器にアルミフレームを挿入する為のミシン目
４／新聞紙（4紙を挿入した場合の図）
５／新聞紙が落ちない為の網状の底布
６／装置本体を運転席等に固定する為のベルト
７／本体を固定する為のベルト通し穴
８／運転席
９／盗難防止装置
【図１】
2009254656.tif 000003
【図２】
2009254656.tif 000004
(57)【要約】【課題】  枕カバーにクッション材を入れた眼鏡を掛けたまま横が向ける枕カバーを提供する。【解決手段】枕カバーの内部の側頭部と頬に接する部分にクッション材を入れたことを特徴とする眼鏡を掛けたまま横が向ける枕カバー。【選択図】図１
2009254762.tif 000002
【特許請求の範囲】
【請求項１】
枕カバーの内部の側頭部と頬に接する部分にクッション材を入れたことを特徴とする眼鏡を掛けたまま横が向ける枕カバー。
【発明の詳細な説明】
【技術分野】
【０００１】  本発明は、枕カバーにクッション材を入れた眼鏡を掛けたまま横が向けるように構成した枕カバーに関するものである。
【背景技術】
【０００２】  従来、枕にカバーなどをつけた枕カバーは各種提供されている。
【発明の開示】
【発明が解決しようとする課題】
【０００３】  しかし、次のような問題点があった。
（イ）眼鏡を掛けたまま寝て本やテレビを見たとき、横を向いたり寝返りをしたりすると、眼鏡が枕に押され顔からズレてしまう。
本発明は、以上の問題点を解決するためになされたものである。
【課題を解決するための手段】
【０００４】  上記問題点を解決するため本発明は、枕カバーの内部の側頭部と頬に接する部分にクッション材を入れたことを特徴とする眼鏡を掛けたまま横が向ける枕カバーである。
【発明の効果】
【０００５】  眼鏡を掛けたまま横を向いても寝返りをしても、眼鏡は顔からズレなく極めて安心である。
【発明を実施するための最良の形態】
【０００６】  以下、本発明の実施の形態について説明する。
（イ）外部枕カバー（１）の内部に内部枕カバー（２）を設け、内部にクッション材（３）を入れる。
（ロ）クッション材（３）は側頭部と頬に接する部分に入れる。
（ハ）クッション材（３）は左右対称に入れる。
上記のように構成された本発明を実際に使用する場合は次のようになる。
（ニ）眼鏡を掛けたまま枕カバーのクッション材部分に側頭部と頬を乗せる。
【図面の簡単な説明】
【０００７】
【図１】本発明の斜視図
【図２】本発明の一部を切り欠いた側面図
【図３】本発明の他の実施例を示す斜視図
【符号の説明】
【０００８】    １  外部枕カバー
２  内部枕カバー
３  クッション材
４  ゴム
【図１】
2009254762.tif 000003
【図２】
2009254762.tif 000004
【図３】
2009254762.tif 000005